(57)【要約】【課題】  少ない部品点数で製造することができ、しかも簡単な構造のＰＣカード排出機構を提供することを目的とする。【解決手段】  ＰＣカード排出機構２は、ＰＣカード用コネクタのハウジングに設けられている。ＰＣカード排出機構２を、イジェクタロッド３と第１及び第２のレバー４，５とで構成し、イジェクタロッド３の押し込み操作で、ＰＣカード１００を排出する。第２のレバー５は、ハウジング１の前部１１上に突設された軸受部７に回動自在に取り付けられている。具体的には、軸受部７を、円弧状の内壁７０ａ，７１ａを対向させた突部７０，７１で構成し、第２のレバー５の軸部５０を円形状の穴部４４ｃに嵌め込んむことで取り付けた。【選択図】図１
2005216646.tif 000002
【特許請求の範囲】
【請求項１】
ＰＣカードをハウジング後部から挿入してハウジング前部のコネクタ部に接続することができるＰＣカード用コネクタに設けられ、上記ＰＣカードを後方に移動させることで、上記コネクタ部に接続されたＰＣカードを排出するためのＰＣカード排出機構であって、
上記ハウジングの側部に前後移動可能に取り付けられたイジェクタロッドと、
上記ハウジング前部上に回動自在に軸支され且つ一方端部が上記イジェクタロッドの前端部に連結されると共に他方端部に上記ＰＣカードを後方に押し出すための爪部を有する第１のレバーと、
一方端部に上記ＰＣカードを後方に押し出すための爪部を有し且つ他方端部側が上記第１のレバーの上記一方端部側とリンクした状態で上記ハウジングの前部上に回動自在に軸支された第２のレバーとを備え、
上記第２のレバーの軸部は、円弧状の内壁を対向させた状態で上記ハウジング前部上に突設された軸受部内に回動自在に嵌め込まれ、
上記第１のレバーの一方端部側は、この軸受部の大半部を上方から覆うものである、
ことを特徴するＰＣカード排出機構。
【請求項２】
請求項１に記載のＰＣカード排出機構において、
上記第２のレバーは、一の板体で形成されている、
ことを特徴とするＰＣカード排出機構。
【請求項３】
請求項１または請求項２に記載のＰＣカード排出機構において、
孔を、上記第１のレバーの上記一方端部側に穿設すると共に、突起を、上記第２のレバーの他方端部側に突設し、この突起を上記孔内に嵌めることにより、第２のレバーの上記他方端部側と上記第１のレバーの上記一方端部側とをリンクさせた、
ことを特徴とするＰＣカード排出機構。
【発明の詳細な説明】
【技術分野】
【０００１】
この発明は、ＰＣカード用コネクタに用いられるＰＣカード排出機構に関し、特にイジェクタロッドの操作によってＰＣカードの取り出しが可能なＰＣカード排出機構に関するものである。
【背景技術】
【０００２】
一般に、ノート型パソコンには機能を拡張するためのＰＣカードスロットが標準的に装備され、そこに、ＰＣカード用コネクタが組み込まれている。これにより、ＰＣカードをＰＣカードスロットに挿入して、ＰＣカード用コネクタに接続することで、無線通信などをこのＰＣカードを通じてノートパソコンから行うことができるようになっている。
このようなＰＣカード用コネクタでは、通常、ＰＣカードをＰＣカードスロットに差し込んだ後、ＰＣカード用コネクタから離脱させることができるＰＣカード排出機構を備えている。
従来、この種のＰＣカード排出機構は、例えば図９に示すように、 ピンハウジング１５０に第１、第２の支軸１０１，１０２を立設し、その先端に抜け止め部１０１ａ，１０２ａを形成している。そして、第１の回動アーム１１０に円孔と爪片１１０ｂ及び舌片１１０ｃを形成し、この円孔の周囲に薄肉の凹部と切欠き１１０ｅを形成して、円孔を第１の支軸１０１に回転自在に支承する。一方の第２の回動アーム１２０も第１の回動アーム１１０と同様に、その円孔を第２の支軸１０２に回転自在に支承する。さらに、駆動レバー１３０に円孔と係合部１３０ｂ及び連結孔１３０ｃを形成し、この円孔の周囲に薄肉の凹部と切欠きを形成して、円孔を第１の支軸１０１に回転自在に支承し、抜け止め部１０１ａによって駆動レバー１３０と第１の回動アーム１１０の脱落を防止している。そして、駆動レバー１３０の連結孔１３０ｃに両回動アーム１１０，１２０の舌片１１０ｃ，１２０ｃを係合し、係合部１３０ｂをプッシュロッド１４０に係合した。（特許文献１参照）。
【０００３】
【特許文献１】特開平１０−２５５９０４号公報
【発明の開示】
【発明が解決しようとする課題】
【０００４】
しかし、上記した従来のＰＣカード用コネクタでは、次のような問題がある。
上記従来のＰＣカード排出機構では、第１の回動アーム１１０と第２の回動アーム１２０と駆動レバー１３０とプッシュロッド１４０という４つのリンク部材を必須の構成要素としており、製品として実現する際に、多数の部品が必要となる。
さらに、第１の回動アーム１１０と第２の回動アーム１２０と駆動レバー１３０との全ての部材を、ピンハウジング１５０に立設された第１、第２の支軸１０１，１０２に支承し、抜け止め部１０１ａ，１０２ａによって脱落を防止する複雑な構造を採用しているので、製造するために手間を要すると共に製造部品点数の増大を招き、この結果、製造コストの増大を招くという問題がある。
【０００５】
この発明は、上述した課題を解決するためになされたもので、少ない部品点数で製造することができ、しかも簡単な構造のＰＣカード排出機構を提供することを目的とする。
【課題を解決するための手段】
【０００６】
上記課題を解決するために、請求項１の発明は、ＰＣカードをハウジング後部から挿入してハウジング前部のコネクタ部に接続することができるＰＣカード用コネクタに設けられ、ＰＣカードを後方に移動させることで、コネクタ部に接続されたＰＣカードを排出するためのＰＣカード排出機構であって、ハウジングの側部に前後移動可能に取り付けられたイジェクタロッドと、ハウジング前部上に回動自在に軸支され且つ一方端部がイジェクタロッドの前端部に連結されると共に他方端部にＰＣカードを後方に押し出すための爪部を有する第１のレバーと、一方端部にＰＣカードを後方に押し出すための爪部を有し且つ他方端部側が第１のレバーの一方端部側とリンクした状態でハウジングの前部上に回動自在に軸支された第２のレバーとを備え、第２のレバーの軸部は、円弧状の内壁を対向させた状態でハウジング前部上に突設された軸受部内に回動自在に嵌め込まれ、第１のレバーの一方端部側は、この軸受部の大半部を上方から覆うものである構成とした。
かかる構成により、イジェクタロッドを前方に移動させると、第１のレバーの一方端部が前方に回動すると共に、他方端部が後方に回動する。そして、第１のレバーの一方端部側とリンクした第２のレバーの他方端部側が前方に回動して、一方端部が後方に回動する。このように、第１のレバーの他方端部と第２のレバーの一方端部が後方に回動するので、これらの端部の爪部によって、ＰＣカードが後方に押し出される。
ところで、かかる操作時においては、第２のレバーは、その軸部を軸受部内で回動させることにより、上記一方及び他方端部を回動させる。このとき、軸部の大半部が第１のレバーの一方端部側で覆われているので、第２のレバーの軸部が軸受部から外れて抜けることはない。
【０００７】
また、請求項２の発明は、請求項１に記載のＰＣカード排出機構において、第２のレバーは、一の板体で形成されている構成とした。
【０００８】
さらに、請求項３の発明は、請求項１または請求項２に記載のＰＣカード排出機構において、孔を、第１のレバーの一方端部側に穿設すると共に、突起を、第２のレバーの他方端部側に突設し、この突起を孔内に嵌めることにより、第２のレバーの他方端部側と第１のレバーの一方端部側とをリンクさせた構成とする。
【発明の効果】
【０００９】
以上説明したように、この発明のＰＣカード排出機構によれば、イジェクタロッドと第１及び第２のレバーという３つのリンク部材で構成するので、製品の部品点数を削減することができる。
さらに、その軸部を、円弧状の内壁を対向させた状態でハウジング前部上に突設された軸受部内に嵌め込むだけで、第２のレバーを取り付けることができるので、取付構造及び取付作業が単純であり、製造するために手間を省くことができると共に部品点数の削減化を図ることができ、この結果、製造コストの低減化を図ることができるという優れた効果がある。
【発明を実施するための最良の形態】
【００１０】
以下、この発明の最良の形態について図面を参照して説明する。
【実施例１】
【００１１】
図１は、この発明の一実施例に係るＰＣカード排出機構を備えたＰＣカード用コネクタを示す斜視図であり、図２は、ＰＣカード用コネクタの平面図である。
これらの図に示すように、この実施例のＰＣカード用コネクタは、ハウジング１にＰＣカード排出機構２を備えた構造になっている。
【００１２】
ハウジング１は、コネクタ部１０と一対の側部１２，１３と底部１４とを有してなる。
コネクタ部１０は、ＰＣカード１００を接続するための部分であり、ハウジング１の前部１１（図１の右部、図２の上部）に取り付けられている。前部１１は、合成樹脂で形成されており、コネクタ部１０は端子受入口１０ａを後方に向けた状態でこの前部１１に組み付けられている。
また、一対の側部１２，１３は、断面Ｌ字状のステンレス製の部材であり、前部１１に取り付けられ、コネクタ部１０の両側から後方（図１の左方向、図２の下方向）に延出している。
底部１４は、ＰＣカード１００を挿入して載置するためのステンレス製板体であり、その両側位置に、複数の山形部１４ａを有している。
ハウジング１がかかる構造をとるにより、ＰＣカード１００を挿入口１ａから挿入すると、ＰＣカード１００の両側部が山形部１４ａに乗り上げ、ＰＣカード１００が底部１４の山形部１４ａと側部１２，１３とに案内されて、コネクタ部１０側に向かい、ＰＣカード１００をコネクタ部１０に接続することができる。
【００１３】
ＰＣカード排出機構２は、上記のように挿入したＰＣカード１００をハウジング１の後方に移動させて、排出するための機構である。
具体的には、図２に示すように、ＰＣカード排出機構２は、イジェクタロッド３と第１のレバー４と第２のレバー５との３つのリンク部材で構成されている。
【００１４】
イジェクタロッド３は、ＰＣカード用コネクタの外部から操作することができるステンレス製の部材であり、押圧用の釦３０をその後端部に有している。このイジェクタロッド３は、一対の側部１２，１３のうちの側部１３の外側に前後方向に移動可能に取り付けられている。すなわち、一対の保持片３１，３１が側部１２のフランジ部に立設され、イジェクタロッド３がこれら一対の保持片３１，３１によって前後移動可能に保持されている。
【００１５】
第１及び第２のレバー４，５は、かかるイジェクタロッド３の操作によって回動する部材である。
第１のレバー４は、ステンレス製の長尺状板体であり、ハウジング１の前部１１の上面に回動自在に軸支されている。
図３は、第１のレバー４及び第２のレバー５の軸支状態を説明するための断面図であり、図４は、第１のレバー４の回動状態を示す平面図である。
第１のレバー４は、図３に示すような構造で軸支されている。
すなわち、穴１１ａを前部１１上に形成し、ワッシャ６０をこの穴１１ａ上に載置すると共に、ワッシャ６１を嵌めた孔４０をワッシャ６０に位置合わせした状態で、第１のレバー４をワッシャ６０上に載せる。そして、軸６２を第１のレバー４の孔４０とワッシャ６０とに通して、穴１１ａ内に打ち込むことにより、第１のレバー４を軸６２によって軸支すると共に、幅広の頭部６２ａで抜け止めを行う
これにより、図４の実線及び破線で示すように、第１のレバー４を軸６２を中心にして回動させることができる。
このような第１のレバー４においては、図２に示すように、その一方端部４１が、イジェクタロッド３の前端部に形成された連結孔３２に係合され、イジェクタロッド３の前後移動で回動するようになっている。また、第１のレバー４の他方端部４２には、垂下した爪部４３が形成されている（図１参照）。
これにより、第１のレバー４の他方端部４２が前方に回動すると、一方端部４１が後方に回動して、イジェクタロッド３を後方に移動させる。また、イジェクタロッド３の押し戻しにより、第１のレバー４の他方端部４２が後方に移動する。
【００１６】
第２のレバー５も、一枚のステンレス製の長尺状板体で形成されており、前部１１上面に回動自在に軸支されている。
すなわち、第２のレバー５は、その軸部５０を前部１１上に突設された軸受部７に嵌合させた状態で取り付けられている。
図５は、第２のレバー５と軸受部７とを分解して示す斜視図であり、図６は第２のレバー５の回動状態を示す平面図である。
図５に示すように、軸受部７は、一対の突部７０，７１でなり、これら一つの突部７０，７１を、円弧状の内壁７０ａ，７１ａを対向させた状態で、並べた構造になっている。
一方、第２のレバー５は、軸受部７の内壁７０ａ，７１ａで画成された円形状の穴部７ａに対応した円形の軸部５０を有し、この軸部５０をこの穴部７ａに嵌め込んだ状態で、取り付けられている。
これにより、図６の実線及び破線で示すように、第２のレバー５は、軸部５０を中心に回動させることができる。
また、この第２のレバー５の一方端部５１には、垂下した爪部５３が形成されている。
【００１７】
このような第２のレバー５は、図２に示すように、この爪部５３をコネクタ部１０の手前に位置させた状態で、第１のレバー４の下側に配設されている。
具体的には、図３に示すように、軸受部７の突出高さｈを第１のレバー４下面と前部１１上面との間隙Ａにほぼ等しく設定し、第２のレバー５の軸部５０をかかる軸受部７内に嵌め込んでいる。この結果、第１のレバー４の一方端部４１側が、軸部５０が嵌め込まれた軸受部７の大半部を上方から覆う状態になり、第２のレバー５の軸部５０が軸受部７からの抜けないようになっている。
【００１８】
この第２のレバー５は、図２に示すように、上記第１のレバー４とリンク部８を介してリンクされている。
リンク部８は、第１のレバー４に設けられた長孔８０と、第２のレバー５に設けられた突起８１とでなる。
具体的には、図４に示すように、長孔８０が第１のレバー４の一方端部４１側に穿設され、  図６に示すように、突起８１が第２のレバー５の他方端部５２側に突設されている。そして、第２のレバー５の突起８１が第１のレバー４の長孔８０に嵌め込まれ、第１及び第２のレバー４，５同士がリンク部８を通じて連動するようになっている。
これにより、第２のレバー５の一方端部５１が前方に回動すると、この回動で突起８１が長孔８０に係合し、第１のレバー４の一方端部４１を後方に移動させるように補助する。また、第１のレバー４の他方端部４２が後方移動すると、長孔８０が突起８１に係合して、第２のレバー５の一方端部５１を後方に回動させるように補助する。
【００１９】
次に、このＰＣカード用コネクタ１の使用例について説明する。
図７は、ＰＣカードをコネクタ部１０に接続する前の状態を示すＰＣカード用コネクタの平面図であり、図８は、ＰＣカードをコネクタ部１０に接続した後の状態を示すＰＣカード用コネクタの平面図である。
ＰＣカード１００をハウジング１の挿入口１ａ（図１参照）に挿入して前進させていくと、図７に示すように、ＰＣカード１００の前端が第１及び第２のレバー４，５の爪部４３，５３に当接する。
【００２０】
このＰＣカード１００をコネクタ部１０に接続するには、ＰＣカード１００をさらに前進させる。
すなわち、図７に示す状態から、右向き矢印で示すように、ＰＣカード１００をさらに前進させると、ＰＣカード１００の前端がが第１及び第２のレバー４，５の爪部４３，５３を押す。すると、第１及び第２のレバー４，５の他方端部４２，一方端部５１が軸６２，軸部５０を中心に前方に回動する。この動作と連動して、左向き矢印で示すように、第１のレバー４の一方端部４１が後方に回動して、イジェクタロッド３が後方に移動する。そして、ＰＣカード１００を前方に完全に押し込むことで、図８に示すように、ＰＣカード１００がコネクタ部１０と接続されると共に、イジェクタロッド３が後方に押し出された状態になる。
【００２１】
かかる状態から、ＰＣカード１００を排出する場合には、後方に突出した釦３０を用いて、イジェクタロッド３を前方に押し戻す。
すなわち、図８の右向き矢印で示すように、イジェクタロッド３を前方に押し込むと、イジェクタロッド３と連結した第１のレバー４の一方端部４１が前方に回動し、他方端部４２が後方に回動する。これと同時に、リンク部８の作用によって、第２のレバー５の一方端部５１が後方に回動する。
すると、左向き矢印で示すように、第１及び第２のレバー４，５の爪部４３，５３がＰＣカード１００を後方に押し、ＰＣカード１００全体を後方に移動させて、排出する。
【００２２】
このように、この実施例のＰＣカード排出機構２によれば、イジェクタロッド３と第１及び第２のレバー４，５という３つのリンク部材で構成するので、ＰＣカード排出機構２の部品点数を削減することができる。また、第２のレバー５の軸部５０を、ハウジング１の前部１１上に突設された軸受部７内に嵌め込むだけで、取り付けることができるので、取付構造及び取付作業が単純であり、製造するために手間を省くことができると共に部品点数の削減化を図ることができる。
【図面の簡単な説明】
【００２３】
【図１】この発明の一実施例に係るＰＣカード排出機構を備えたＰＣカード用コネクタを示す斜視図である。
【図２】ＰＣカード用コネクタの平面図である。
【図３】第１のレバー及び第２のレバーの軸支状態を説明するための断面図である。
【図４】第１のレバーの回動状態を示す平面図である。
【図５】第２のレバーと軸受部とを分解して示す斜視図である。
【図６】第２のレバーの回動状態を示す平面図である。
【図７】ＰＣカードをコネクタ部に接続する前の状態を示すＰＣカード用コネクタの平面図である。
【図８】ＰＣカードをコネクタ部に接続した後の状態を示すＰＣカード用コネクタの平面図である。
【図９】従来のＰＣカード排出機構を備えたＰＣカード排出機構の平面図である。
【符号の説明】
【００２４】
１…ハウジング、  １ａ…挿入口、  ２…ＰＣカード排出機構、  ３…イジェクタロッド、  ４…第１のレバー、  ５…第２のレバー、  ７…軸受部、  ７ａ…穴部、  ８…リンク部、  １０…コネクタ部、  １１…前部、  １１ａ…穴、  １２，１３…側部、  １４…底部、  １４ａ…山形部、  ３０…釦、  ３１…保持片、  ３２…連結孔、  ４０…孔、  ４１，５１…一方端部、  ４２，５２…他方端部、  ４３，５３…爪部、  ５０…軸部、  ６０，６１…ワッシャ、  ６２…軸、  ６２ａ…頭部、  ７０，７１…突部、  ７０ａ，７１ａ…内壁、  ８０…長孔、  ８１…突起、  １００…ＰＣカード。
【図１】
2005216646.tif 000003
【図２】
2005216646.tif 000004
【図３】
2005216646.tif 000005
【図４】
2005216646.tif 000006
【図５】
2005216646.tif 000007
【図６】
2005216646.tif 000008
【図７】
2005216646.tif 000009
【図８】
2005216646.tif 000010
【図９】
2005216646.tif 000011